(57)【要約】【課題】シール蓋を剥し易くする。【解決手段】シール蓋２０の形状は、平行四辺形（但し、正方形を除く。）である。シール蓋２０の外周が囲っているのは、口天部１２の外周である。口天部１２及びシート蓋２０の関係概念図である。シート蓋２０の底辺２１の長さＬは、口天部１２の外径Ｒよりも大きい。外径Ｒに対する長さＬの比は、１．２３乃至１．３８である。長さＬに対する高さＨの比は、０．９乃至１．１であり、好ましくは、１．０である。シート蓋２０の鋭角θは、６３乃至７６度である。長さＬ及び高さＨを固定する場合、上底２１ａ及び下底２１ｂのズレΔＬを変えることで、つまみ部２２の面積を大きくする。つまみ部２２の面積が大きいと、つまみ部２２がつまみ易く、その先端２２ａも立ち上げ易い。【選択図】図４
2020026302.tif 000002
【特許請求の範囲】
【請求項１】
シール蓋であって、
その形状は、平行四辺形（但し、正方形を除く。）である。
【請求項２】
請求項１のシール蓋であって、
その底辺の長さに対する高さの比は、０．９乃至１．１である。
【請求項３】
容器であって、それを構成するのは、少なくとも、次のとおりである：
口天部：その形状は、円であり、及び、
シール蓋：それが接着されるのは、前記口天部であり、かつ、
その形状は、平行四辺形（但し、正方形を除く。）である。
【請求項４】
請求項３の容器であって、
前記シール蓋の底辺の長さに対する高さの比は、０．９乃至１．１である。
【請求項５】
請求項３又は４の容器であって、
前記底辺の長さは、前記口天部の外径よりも大きい。
【請求項６】
容器詰め飲食品の製造方法であって、それを構成するのは、少なくとも、以下の工程である：
封止：ここで封止されるのは、容器の口天部であり、その封止に用いるのは、シール蓋であり、
このシール蓋の形状は、平行四辺形（但し、正方形を除く。）であり、
前記容器に詰められているのは、飲食品である。
【請求項７】
請求項６の製造方法であって、それを構成するのは、更に、以下の工程である：
切断：ここで、前記シール蓋を得るために切断されるのは、帯状材であり、前記帯状材の長手方向に対して切断方向がなす角は、鋭角又は鈍角であり、切断間隔に略等しいのは、前記帯状材の短手方向の長さである。
【発明の詳細な説明】
【技術分野】
【０００１】
本発明が関係するのは、シール蓋、容器、及び容器詰め飲食品の製造方法である。
【背景技術】
【０００２】
容器の注ぎ口を密封するのは、シール蓋である。このシール蓋の形状は、様々であり、例示すると、以下のとおりである。特許文献１に開示されているのは、蓋材であり、その外周縁に形成されているのは、フラップ部である。特許文献２に開示されているのは、密封用蓋材であり、その周縁に形成されているのは、当該掴み部である。特許文献３に開示されているのは、シール蓋であり、その周縁に形成されているのは、タブである。特許文献４に開示されているのは、シールディスクであり、そこに形成されているのは、タブである。
【先行技術文献】
【特許文献】
【０００３】
【特許文献１】特開２０１６‐１１１２１号
【特許文献２】特開２０１６‐７４４３９号
【特許文献３】特開２０１２‐５６６０６号
【特許文献４】特開２０１０‐５４０３５４号
【発明の概要】
【発明が解決しようとする課題】
【０００４】
本発明が解決しようとする課題は、シール蓋を剥し易くすることである。従来のシール蓋の形状は、正方形である。このシール蓋の角部の長さは、短い。そのような短い角部は、立ち上げ難く、かつ、つまみ難い。
【課題を解決するための手段】
【０００５】
本願発明者が着目したのは、剥す動作である。剥す動作を分解すると、動作の順に、シール蓋を立ち上げること、シール蓋を摘まむこと、及びシール蓋を引っ張ることである。そのような観点を踏まえ、本願発明者が鋭意検討して見出したのは、シール蓋の形状を平行四辺形（但し、正方形を除く。）にすることで、シール蓋を剥し易くすることである。しかも、本発明（平行四辺形）と従来品（正方形）とを比較すると、シール蓋に必要な材料の量は、殆ど増えない。両者の面積は、略等しいからである。この観点から、本発明を定義すると、以下のとおりである。
【０００６】
本発明に係るシール蓋の形状は、平行四辺形（但し、正方形を除く。以下、同じ。）である。当該シール蓋の底辺に対する高さの比は、０．９乃至１．１（０．９から１．１まで）である。
【０００７】
本発明に係る容器を構成するのは、少なくとも、口天部及びシール蓋である。当該口天部を上面視した形状は、円である。当該シール蓋が接着されるのは、当該口天部である。当該シール蓋の形状は、平行四辺形である。当該シール蓋の底辺の長さは、当該口天部の外径よりも大きい。
【０００８】
本発明に係る容器詰め飲食品の製造方法を構成するのは、少なくとも、封止工程である。この封止工程において、容器の口天部を封止するのは、シール蓋である。このシール蓋の特徴は、前述のとおりである。当該容器に詰められているのは、飲食品であり、例示すると、調味料である。本製造方法を構成するのは、更に、切断工程である。この切断工程では、当該シール蓋を得るために、帯状材を切断する。当該帯状材を切断する方向（切断方向）及び当該帯状材の長手方向がなすのは、鋭角又は鈍角である。当該帯状材を切断する間隔（切断間隔）に等しいのは、当該帯状材の短手方向の長さである。
【発明の効果】
【０００９】
本発明が可能にするのは、シール蓋を剥し易くすることである。すなわち、シール蓋の角部は、立ち上げ易く、つまみ易い。
【図面の簡単な説明】
【００１０】
【図１】本実施の形態に係る容器の分解斜視図
【図２】本実施の形態に係る容器の使用状態斜視図
【図３】本実施の形態に係る容器の部分上面図
【図４】本実施の形態に係る口天部及びシート蓋の関係概念図
【図５】本実施の形態に係るシート蓋及び帯状材の関係概念図
【図６】平面視での比較写真（ａ）本実施の形態（ｂ）従来品
【図７】正面視での比較写真（ａ）本実施の形態（ｂ）従来品
【図８】側面視での比較写真（ａ）本実施の形態（ｂ）従来品
【図９】比較写真（ａ）本実施の形態での開封時（ｂ）従来品での開封時
【発明を実施するための形態】
【００１１】
＜容器の全体構成＞
図１で示されるのは、本実施の形態に係る容器１の分解斜視図である。容器１を構成するのは、本体１０、シール蓋２０、及びキャップ３０である。容器１に充填されるのは、飲食品である。この飲食品を例示すると、調味料などである。この調味料を例示すると、ケチャップやマヨネーズ等である。
【００１２】
図２で示されるのは、容器１の使用状態斜視図である。本体１０に貼り付けられるのは、シール蓋２０である。言い換えると、本体１０を封止するのは、シール蓋２０である。その後、シール蓋２０は、折り曲げられる。シール蓋２０が折り曲げられると、本体１０に螺合されるのは、キャップ３０である。
【００１３】
＜本体の構成＞
本体１０に設けられているのは、首（くび）部１１、及び口天部１２である。首（くび）部１１に形成されているのは、ネックリングである。首部１１に螺合されるのは、キャップ３０である。口天部１２の形状は、円である。本体１０の材質は、問わないが、好ましくは、樹脂である。この樹脂を例示すると、低密度ポリエチレンやエチレン・ビニルアルコール共重合体などである。
【００１４】
＜シール蓋の形状＞
図３で示されるのは、容器１の部分上面図である。シール蓋２０の形状は、平行四辺形（但し、正方形を除く。）である。シール蓋２０の外周が囲っているのは、口天部１２の外周である。
【００１５】
＜シール蓋の寸法＞
図４で示されるのは、口天部１２及びシート蓋２０の関係概念図である。シート蓋２０の底辺２１の長さＬは、口天部１２の外径Ｒよりも大きい。外径Ｒに対する長さＬの比は、１．２３乃至１．３８である。長さＬに対する高さＨの比は、０．９乃至１．１であり、好ましくは、１．０である。言い換えれば、底辺の長さＬに等しい又は略等しいのは、高さＨである。シート蓋２０の鋭角θは、６３乃至７６度である。長さＬ及び高さＨを固定する場合、上底２１ａ及び下底２１ｂのズレΔＬを変えることで、つまみ部２２の面積（以下、「つまみ面積」という。）を大きくする。言い換えると、つまみ面積を調整或いは制御する要素は、ズレΔＬである。例えば、外形Ｒが１９．５ｍｍであり、長さＬが２４ｍｍであり、かつ、高さＨが２４ｍｍである場合、ズレΔＬは、９ｍｍから１２ｍｍまでである。つまみ面積が大きいと、先端２２ａが立ち上げ易く、つまみ部２２もつまみ易い。つまり、シート蓋２０は、剥し易い。
【００１６】
＜帯状材の切断＞
図５で示されるのは、シート蓋２０及び帯状材４０の関係概念図である。帯状材４０の形状は、薄くて帯状である。帯状材４０の素材は、問わないが、例示すると、アルミニウムフィルムなどである。つまり、帯状材４０を例示すると、アルミニウムテープである。帯状材４０を切断して、シート蓋２０とする。帯状材４０の長手方向Ｘに対する切断方向Ｃのなす角は、鋭角θである。言い換えると、切断方向Ｃに対する帯状材４０の長手方向Ｘのなす角は、鈍角１８０°‐θである。帯状材４０を切断する間隔は、距離Ｌである。距離Ｌに略等しいのは、帯状材４０の短手方向Ｙの長さＨである。
【００１７】
＜容器詰め飲食品の製造方法＞
容器詰め飲食品の製造方法を構成するのは、主に、切断工程、充填工程、封止工程である。すなわち、帯状材４０を切断して、シート蓋２０とする。本体１０に充填されるのは、飲食品である。次いで、本体１０の口天部１２は、封止され、そこで用いるのは、シール蓋２０である。これらの詳細な説明は、前述のとおりである。
【００１８】
＜本実施の形態及び従来品の比較＞
図６で示されるのは、本実施の形態及び従来品の平面視での比較写真である。本実施の形態の形状が平行四辺形である（図６（ａ））のに対して、従来品は、正方形である（図６（ｂ））。
【００１９】
図７で示されるのは、本実施の形態及び従来品の正面視での比較写真である。本実施の形態のつまみ面積Ｓ１（図７（ａ））は、従来品の面積Ｓ２（図７（ｂ））に比して広い。つまみ面積Ｓ１が面積Ｓ２に比して広いから、本実施の形態は、従来品に比してつまみ易い。
【００２０】
図８で示されるのは、本実施の形態及び従来品の側面視での比較写真である。本実施の形態の隙間Ｖ１（図８（ａ））は、従来品の隙間Ｖ２（図８（ｂ））に比して広い。隙間Ｖ１が隙間Ｖ２に比して広いから、本実施の形態は、従来品に比して立ち上げ易い。
【００２１】
図９で示されるのは、本実施の形態及び従来品での開封時の比較写真である。本実施の形態では、指を掛ける箇所が側面Ｐ１である（図９（ａ））のに対して、従来品では、先端Ｐ２である（図９（ｂ））。容器に近いのは、先端Ｐ２より側面Ｐ１であるから、指の力を容器に伝えやすいのは、従来品よりも本実施の形態である。
【００２２】
以上のとおり、本実施の形態は、従来品に比して、つまみ易く、立ち上げ易く、かつ、力を伝えやすい。つまり、本実施の形態は、従来品に比して、剥し易い。更には、本発明（平行四辺形）と従来品（正方形）とを比較すると、シール蓋に必要な帯状材の量は、殆ど増えない。両者の面積は、略等しいからである。また、本発明（平行四辺形）で廃棄される帯状材の量は、市場品（十字架形）に比して少ない。
【産業上の利用可能性】
【００２３】
本発明が有用な分野は、容器詰め飲食品の製造である。
【図１】
2020026302.tif 000003
【図２】
2020026302.tif 000004
【図３】
2020026302.tif 000005
【図４】
2020026302.tif 000006
【図５】
2020026302.tif 000007
【図６】
2020026302.tif 000008
【図７】
2020026302.tif 000009
【図８】
2020026302.tif 000010
【図９】
2020026302.tif 000011